(57)【要約】【課題】清掃性を向上させるとともに、床面における負荷が大きい場所で使用する際に好適である排水溝ユニットを提供する。【解決手段】幅方向断面がＶ字形状である傾斜底面部１２と、前記傾斜底面部の両端縁から起立している一対の鉛直部１３と、前記各鉛直部から水平内側方向に屈曲している一対の水平上部１４とを有し、前記一対の水平上部の間に狭幅の開口部１６が形成されている金属製の溝本体１１と、前記溝本体の両側の上隅角部を補強するために、同側の前記鉛直部と前記水平上部の間に設けられている金属製の補強斜材１５とを備えていることを特徴とする排水溝ユニット１０とした。【選択図】　図１
2004011166.tif 000002
【特許請求の範囲】
【請求項１】
幅方向断面がＶ字形状である傾斜底面部と、前記傾斜底面部の両端縁から起立している一対の鉛直部と、前記各鉛直部から水平内側方向に屈曲している一対の水平部とを有し、前記一対の水平部の間に狭幅の開口部が形成されている金属製の溝本体と、
前記溝本体の両側の上隅角部を補強するために、同側の前記鉛直部と前記水平部の間に設けられている金属製の補強斜材とを備えていることを特徴とする排水溝ユニット。
【請求項２】
前記溝本体は長手方向に所定の勾配を有し、かつ、幅方向断面形状が連続的に変形するように形成されていることを特徴とする請求項１に記載の排水溝ユニット。
【請求項３】
前記溝本体の長手方向における上流側端部から所定長さの間に、導水領域を閉塞する上向きの傾斜面が形成されていることを特徴とする請求項１又は請求項２に記載の排水溝ユニット。
【請求項４】
基体に固定するための固定用部材が、前記各鉛直部の下方における外側面に付設されていることを特徴とする請求項１乃至請求項３のいずれか１項に記載の排水溝ユニット。
【請求項５】
前記一対の水平部において、金属床板と接合可能となるように形成されていることを特徴とする請求項１乃至請求項４のいずれか１項に記載の排水溝ユニット。
【発明の詳細な説明】
【０００１】
【発明の属する技術分野】
本発明は、食品工場、医薬品工場、業務用厨房室等（以下、「食品工場等」という）に使用される排水溝ユニットに関する。
【０００２】
【従来の技術】
食品工場等では、清潔な室内環境を保つ必要があることから、薬品類を使用して、常時床面や壁面などを清掃し、かつ、消毒しておく必要がある。そのため、床面には集水枡に接続されている排水溝が埋設されており、清掃時に使用した洗浄水等を室外に排水できるようになっている。
【０００３】
従来から、このような排水溝の構造は種々提案されており、例えば、図６（ａ）に示すように、「幅狭の溝口５１ａを上部に開設している円形断面形状の溝本体５１と、前記溝口５１ａの両端縁から起立している溝導入部５２とを備えている排水溝５０（特開平６−４９８９１号公報参照）」や、図６（ｂ）に示すように、「矩形形状の下部断面６１と略２等辺三角形形状の上部断面６２を組み合わせた複合断面を有し、幅狭の溝口６２ａを上部に開設している排水溝６０（特開平１１−２２９４７６号公報参照）」等が提案されている。
【０００４】
【発明が解決しようとする課題】
しかし、従来の排水溝５０，６０は、底面部の断面形状が半円形状や矩形形状等であり、溝内に汚物等が堆積しやすいことから清掃性に劣るため、衛生上好ましくないという問題点を有していた。
【０００５】
一方、食品工場等では、床面に対する負荷が非常に大きいため、ステンレス鋼板等の金属床板を用いた金属床板構造が採用される場合がある。
ところが、前記金属床板構造では、金属床板に熱湯などが流下した場合には熱膨張するため、基体に固定された中間部が面外に膨らんでしまい、当該基体の割れ、金属床板のふくれ及び剥離、膨張収縮時の発音等、各種の不具合が生じやすかった。そのため、このような金属床板構造に排水溝を設ける場合においても何らかの対策が必要となっていたが、前記従来の排水溝はコンクリー製の床面に埋設するために開発されたものであることから、そのまま採用することは難しいという問題点を有していた。
【０００６】
本発明は、前記各問題点を解決するためになされたものであり、清掃性を向上させるとともに、床面に対する負荷が大きい場所で使用する際に好適である排水溝ユニットを提供することを目的としている。
【０００７】
【課題を解決するための手段】
前記課題を解決するために、本発明の排水溝ユニットは、幅方向断面がＶ字形状である傾斜底面部と、前記傾斜底面部の両端縁から起立している一対の鉛直部と、前記各鉛直部から水平内側方向に屈曲している一対の水平部とを有し、前記一対の水平部の間に狭幅の開口部が形成されている金属製の溝本体と、前記溝本体の両側の上隅角部を補強するために、各同側の前記鉛直部と前記水平部の間に設けられている金属製の補強斜材とを備えていることを特徴としている。
ここで、前記排水溝ユニットは、前記一対の水平部において、金属床板と接合可能となるように形成されていれば、金属床板構造に適用する際に非常に好適である。
【０００８】
本発明は、金属床板構造に適用すると非常に好適であるが、この場合には、前記のように金属床板は熱膨張することから、当該熱膨張を吸収するために排水溝ユニットの開口部と略同一形状の開口部を設け、両開口部を一致させて接合することが好ましい。この排水溝ユニットの開口部は、主として、金属床板が熱膨張することによる伸びを吸収する役割と、洗浄水等の導入部としての役割を果たすものであり、その形状、幅及び長さ寸法等は、施工現場の状況、使用材料等に応じて適切に定めることができる。但し、作業者が上部を歩行した場合における安全性の確保や床面を走行する走行台車の車輪が脱輪することを防止するためには、この排水用の開口部の幅を、好ましくは１０ｍｍ〜３０ｍｍ、より好ましくは１５ｍｍ〜２５ｍｍとすることが効果的である。
【０００９】
また、傾斜底面部の幅方向における傾斜角度（傾斜底面部が水平方向となす角度（図２（ａ），（ｂ）におけるθ１））は、汚物等を円滑に流下させるためには、好ましくは１０度〜３０度、より好ましくは１５度〜２５度（２０度が最適）とすることが効果的である（前記傾斜角度を１０度未満にすると、汚物等が傾斜底面部に沿って流下しにくくなり、傾斜角度が３０度を超えると傾斜底面部の頂角の部分に汚物等が溜まりやすくなってしまう）。
さらに、前記排水溝ユニットは、各種の金属材料を使用することができるが、耐錆性及び耐久性等の観点からはステンレス鋼を用いることが好適である。
【００１０】
前記のように本発明の排水溝ユニットを金属床板構造に適用した場合には、金属床板が熱膨張することにより生じる伸長が開口部を境に分断され、水平部及び鉛直部の上部が追従して変形することにより前記金属床板の伸長を吸収することができる。
さらに、排水溝ユニットは金属製であり、変形を生じやすい溝本体の上隅角部が補強斜材により補強されていることから、耐久性を向上させることができる。
【００１１】
また、前記排水溝ユニットにおいて、前記溝本体は長手方向に所定の勾配を有し、かつ、幅方向断面形状が連続的に変形するように形成されているものであってもよい。
ここで、溝本体に勾配を設ける場合には、排水量等に応じて適切に定める必要があるが、１／１００以上、好ましくは１／８０以上、より好ましくは１／５０以上とすることが好適である。
【００１２】
本発明の排水溝ユニットによれば、溝本体は、Ｖ字形状の傾斜底面部を有しているとともに、長手方向に所定の勾配を有して形成されている。そのため、洗浄水等が幅方向の傾斜に沿って中央部に集まりながら長手方向に流下することになり、幅方向と長手方向で相乗的に加速して洗浄水等が流れるため、溝本体に汚物等が堆積することを効果的に防止することができる。この場合に、Ｖ字形状の傾斜底面部とすることで、同幅の半円弧形状の底面部とした場合と比較して、傾斜底面部の傾斜角度を大きくすることができる。
さらに、傾斜底面部の両端縁から起立している一対の鉛直部の長さを適切に変化させることにより、長手方向の勾配を容易に調節することができる。
【００１３】
また、前記排水溝ユニットにおいて、前記溝本体の長手方向における上流側端部から所定長さの間に、前記導水領域を閉塞する上向きの傾斜面が形成されていることを特徴とするものであってもよい。
ここで、導水領域とは、溝本体の内部に形成される洗浄水等を導水するための空間部である。
【００１４】
本発明の排水溝ユニットによれば、上流側端部から所定長さの間に、導水部を閉塞する上向きの傾斜面が形成されており、前記端部に角部（直角部乃至鋭角部）が形成されないことから、当該部位に汚物等が溜まることを効果的に防止することができる。
【００１５】
さらに、前記排水溝ユニットにおいて、基体に固定するための固定用部材が、前記各鉛直部の下方における外側面に付設されているものであってもよい。
ここで、固定用部材は山形鋼等を用いることが好適であるが、その形状や寸法等には制限がなく、長尺材、若しくは、所定寸法に分割されているピース材のいずれをも用いることができる。
【００１６】
本発明の排水溝ユニットによれば、基体に固定するための固定用部材が各鉛直部の下方における外側面に付設されていることから、金属床板の熱膨張に起因する水平部及び鉛直部の変形を阻害することがなく、良好な追従性を確保することができる。
【００１７】
【発明の実施の形態】
本発明の実施の一形態について、図面を参照して詳細に説明する。
なお、以下の説明において、同一の構成要素に関しては同一の符号を付し、重複した説明は省略するものとする。
【００１８】
［排水溝ユニット］
図１及び図２に示すように、本発明の排水溝ユニット１０は、ステンレス鋼製である細長形状に形成されており、傾斜底面部１２、一対の鉛直部１３及び一対の水平上部１４（水平部）とを有する溝本体１１と、前記各水平上部１４と一体、かつ、約４５度に折り曲げ加工されており、その先端部が同側の鉛直部１３に溶接されている補強斜材１５とを備えている。
【００１９】
前記溝本体１１は、幅方向断面がＶ字形状である傾斜底面部１２と、当該傾斜底面部１２の両端縁から垂直に起立している一対の鉛直部１３と、当該各鉛直部１３から水平内側方向に屈曲している一対の水平上部１４とを有しており、その内部には、三角形断面の下部断面と矩形断面の上部断面を組み合わせた五角形形状の複合断面が形成されることになる（但し、導水領域Ｄの形状は、補強斜材１５により変形七角形形状となる）。
また、前記一対の水平上部１４の間に、長手方向に狭幅となる開口部１６が形成されており、洗浄水等を溝本体１１の内部に集水可能となっている。
【００２０】
なお、本実施形態では、排水溝ユニット１０の傾斜底面部１２と両鉛直部１３とを一体で形成し、折り曲げ成形された一体の水平上部１４と補強斜材１５を前記鉛直部１３に溶接することにより形成されている。しかし、このような成形方法に限られるものではなく、溝本体１１を一体に形成して、補強斜材１５のみを溶接する構造等とするものであってもよい。
また、本実施形態では、補強斜材１５の折り曲げ角度（図２（ａ），（ｂ）におけるθ２）を約４５度としているが、当該折り曲げ角度は、先端部の溶接性と、溝本体１１の内部の視認性を考慮すると４０度以上７０度以下、好ましくは４０度以上５０度以下（最適は４５度）の範囲内で適切に定めることが好ましい。
【００２１】
一方、側面視において、前記溝本体１１は、下流側端部１０ｂにおける鉛直部１３の長さが上流側端部１０ａにおける鉛直部１３の長さと比較して長くなるように形成されており、その間における鉛直部１３の長さが所定割合で変化するように長手方向に勾配が設けられ、幅方向に断面形状が連続的に変化するように形成されている。
さらに、前記溝本体１１の長手方向における上流側端部１０ａから所定長さの間には、導水領域Ｄを閉塞する上向きの傾斜面１７が形成されている。図２に示すように、この傾斜面１７は、当該上流側端部１０ａの近傍における所定位置で、傾斜底面部１２の勾配が不連続となるように変化して形成されており、傾斜面１７の最上部は水平上部１４と一致している。
【００２２】
また、前記各鉛直部１３の下方における外側面には、後記金属床板２０を支持する床スラブ６（基体）に固定するための山形鋼１８（固定用部材）が付設される（図３参照）。この山形鋼１８は、各々、その側辺１８ａ，１８ｂが溝本体１１に対して垂直方向及び外側方向に位置するように取り付けられる。
【００２３】
なお、前記排水溝ユニット１０の下流側端部１０ｂは集水枡３０に接続可能となっている。
例えば、本実施形態では、両鉛直部１３の上端、両水平部１４及び補強斜材１５が切り取られており、その上面部に蓋部材３１が被設されることによって閉塞された状態で、集水枡３０の側面部における導水口３０ａに接続されることになる。
【００２４】
［床構造］
続いて、前記排水溝ユニット１０を使用した床構造１について説明する。図３に示すように、この床構造１は、鉄筋コンクリート造基体である床スラブ６と、その上部に打設されている防水用のシンダーコンクリート７Ａ，７Ｂ，７Ｃと、その上部を被装している金属床板２０と、当該金属床板２０に接合されている排水溝ユニット１０を主要部として構成されている。
【００２５】
前記排水溝ユニット１０は、傾斜底面部１２と嵌合する形状となるように床スラブ６（基体）の水平床部６ａ上に打設されている中央シンダーコンクリート７Ａの上部に載置されており、前記山形鋼１８の下側辺１８ｂが床スラブ６の水平床部６ａに接合されている。
前記床スラブ６は、水平床部６ａとその周縁の立上部６ｂとから構成されており、排水溝ユニット１０の左右には、当該排水溝ユニット１０の水平上部１４と同一高さに至るまで、左右のシンダーコンクリート７Ｂ，７Ｃが打設されている。そして、このシンダーコンクリート７Ｂ，７Ｃの上面に金属床板２０の平板部２１が載置されている。
【００２６】
この金属床板２０はステンレス鋼板であり、左右のシンダーコンクリート７Ｂ，７Ｃ及び床スラブ６の左右の立上部６ｂを覆う形状に形成されている。すなわち、前記シンダーコンクリート７Ｂ，７Ｃに接する平板部２１と、当該平板部２１の周縁に立設しており床スラブの立上部６ｂと接する鉛直部２２とから形成されている。
【００２７】
前記平板部２１において、前記排水溝ユニット１０における一対の水平上部１４の間に形成されている開口部１６に対応する部位には、当該開口部１６と同一形状である熱膨張吸収用開口部２３が形成されている。
そして、前記排水溝ユニット１０における左右の水平上部１４の先端部は、長手方向の全面に渡って、熱膨張吸収用開口部２３を挟んだ左右の平板部２１の下面に重ね溶接されることにより金属床板２０と接合されている。
また、前記排水溝ユニット１０の下流側端部１０ｂは、床スラブ６に埋設されている集水枡３０（図１参照）に接続されている。
【００２８】
なお、金属床板２０の平板部２１の周縁部と鉛直部２２の内面に沿って、断面視で略Ｌ字形状であり、上端部が直角に突出した水平端部２８ａを有するステンレス鋼製である幅木部材２８が溶接されている。そして、前記金属床板２０は、幅木部材２８の水平端部２８ａを床スラブ６の立上部６ｂの上端部に掛止させた状態で取り付けられている。
【００２９】
［作用］
本発明の排水溝ユニット１０を用いた床構造１において、金属床板２０に熱湯が流下等して温度変化が生じた場合には、当該平板部２１は熱膨張吸収用開口部２３の方向（図４（ｂ）における矢印方向）に伸びる（熱膨張する）（図４（ａ）→図４（ｂ）参照）。この平板部２１の伸びは、熱膨張吸収用開口部２３及び排水溝ユニット１０の開口部１６の部位で分断され、当該排水溝ユニット１０の水平上部１４と鉛直部１３の上部が追従して変形することによって吸収されるため、金属床板２０の平板部床２１が左右のシンダーコンクリート７Ｂ，７Ｃに対して膨らむことがない。そのため、熱膨張が繰り返されることによる発音や、シンダーコンクリート７Ｂ，７Ｃのひび割れ等の不都合を防止することが可能となる。
【００３０】
また、前記排水溝ユニット１０によれば、金属床板２０を支持する床スラブ６に固定するための山形鋼１８が各鉛直部１３の下部外側に付設されていることから、金属床板２０の熱膨張に起因する水平部１４及び鉛直部１３の変形を阻害することがなく、良好な追従性を確保することができる。
さらに、前記排水溝ユニット１０は、変形を生じやすい溝本体１１の上隅角部が補強斜材１５により補強されていることから、耐久性を向上させることができる。
【００３１】
また、前記排水溝ユニット１０における溝本体１１は、Ｖ字形状の傾斜底面部１２を有しているとともに、長手方向に所定の勾配を有して形成されている。そのため、洗浄水等が幅方向の傾斜に沿って中央部に集まりながら長手方向に流下することになり、幅方向と長手方向で相乗的に加速して洗浄水等が流れるため、溝本体に汚物等が堆積することを効果的に防止することができる。
加えて、鉛直部１３の長さを適切に変化させることにより、長手方向の勾配を容易に調節することができる。
【００３２】
さらに、前記排水溝ユニット１０によれば、溝本体１１の長手方向における上流側端部１０ａから所定長さの間に、導水領域Ｄを閉塞する上向きの傾斜面１７が形成されており、前記上流側端部１０ａに角部が形成されないことから当該部位に汚物等がたまることを効果的に防止することができる。
【００３３】
また、前記排水溝ユニット１０によれば、金属床板２０が熱膨張することにより生じる変形に追従する機能と、洗浄水等の集水に必要な機能を果たすために、開口部１６を必要最小限に設けていることから、作業者がその上部を歩行する際における安全性を確保し、かつ、作業台車の車輪が脱輪すること等を効果的に防止することが可能となる。加えて、開口部１６は長手方向に一条に設けられており、補強斜材１５を適切に設けることにより、溝本体１１の内部の状態を容易に確認することができる。
【００３４】
このように、本発明によれば、排水溝を製造するための構造部材をユニット化したことから、各現場の状況に応じて、簡易かつ安価に排水溝を構築することができる。
【００３５】
以上、本発明について、好適な実施形態の一例を説明した。しかし、本発明は、前記実施形態に限られず、前記の各構成要素については、本発明の趣旨を逸脱しない範囲で、適宜設計変更が可能である。
【００３６】
特に、前記実施形態では、床スラブ６の中央部に一体の排水溝ユニット１０を設けた場合について説明したが、複数の排水溝ユニット１０を組み合わせて設けることも可能である。
例えば、図５に示すように、床面積と床厚の制約から、片勾配で排水溝を設けることが難しい場合には、２体の前記排水溝ユニット１０の上流側端部１０ａ同士を中央部で溶接接合して、左右の両側に勾配を設けた排水溝１０’とすることもできる。この場合には、排水溝ユニット１０の上流側端部１０ａには傾斜面１７が設けられており、溶接すべき部位が少ないことから、排水溝を短時間かつ安価に施工することができる。
【００３７】
【発明の効果】
本発明によれば、清掃性を向上させるとともに、床面に対する負荷が大きい場所で使用する際に好適である排水溝ユニットを提供することができる。
【図面の簡単な説明】
【図１】本発明の排水溝ユニットを示す図であり、（ａ）は側面図、（ｂ）は平面図である。
【図２】（ａ）は、図１（ａ）のＸ−Ｘ断面図、（ｂ）は、図１（ａ）のＹ−Ｙ断面図である。
【図３】本発明の排水溝ユニットを使用した床構造を示す幅方向断面図である。
【図４】床構造の作用を示す幅方向断面図であり、（ａ）は熱膨張前、（ｂ）は熱膨張時を示す。
【図５】２体の本発明の排水溝ユニットを接合した場合を示す図であり、（ａ）は側面図、（ｂ）は平面図である。
【図６】（ａ），（ｂ）ともに、従来の排水溝を示す幅方向断面図である。
【符号の説明】
１　　　床構造
６　　　床スラブ（基体）
７Ａ〜７Ｃ　　シンダーコンクリート
１０　　排水溝ユニット
１１　　溝本体
１２　　傾斜底面部
１３　　鉛直部
１４　　水平上部（水平部）
１５　　補強斜材
１６　　開口部
１７　　傾斜面
１８　　山形鋼（固定用部材）
２０　　金属床板
２１　　平板部
２３　　熱膨張吸収用開口部
【図１】
2004011166.tif 000003
【図２】
2004011166.tif 000004
【図３】
2004011166.tif 000005
【図４】
2004011166.tif 000006
【図５】
2004011166.tif 000007
【図６】
2004011166.tif 000008